(57)【特許請求の範囲】
【請求項１】
内部を湯水が循環する循環流路に、湯水を一定の方向に循環させる循環ポンプと、湯水を加熱する給湯装置と、前記給湯装置の下流に配置されて湯水に含まれる異物を除去する異物除去部材と、給湯装置の上流であって異物除去手段の下流に配置されて上水を供給する給水手段と、を備え、
前記異物除去部材は、筒状であって、周壁の内側から外側に透過させる湯水に含まれる異物を捕捉するフィルタ部材と、
前記フィルタ部材で捕捉された異物を前記循環流路外に排出する排出流路と、
軸方向の両端に接続口を有し、周壁に貫通孔が設けられた筒状であり、内部に前記フィルタ部材が収容され、一方の接続口に循環流路の上流側が接続され、他方の接続口に前記排出流路が接続され、周壁に設けられた貫通孔に循環流路の下流側が接続されるフィルタ収容体と、を備え、
前記循環ポンプによって前記給湯装置側からフィルタ部材の内側に供給される湯水を、フィルタ部材の壁面を透過させて循環流路に循環させる通常循環モードと、
前記循環ポンプが停止されて前記給水手段から水が供給される状態で、循環流路を通って前記給湯装置側からフィルタ部材の内側に供給される水の給水圧、および循環流路を通って前記フィルタ収容体の周壁に設けた貫通孔からフィルタ部材の周壁を透過してフィルタ部材の内側に供給される水の給水圧によって、フィルタ部材に捕捉された異物がフィルタ部材から取り外され、湯水とともに排出流路に排出する異物除去モードと、を切り替える制御手段を有することを特徴とする湯水循環回路。
【請求項２】
前記循環流路を流れる湯水の流量を検知する流量検知手段を備え、
前記制御手段は、循環ポンプの出力に対して、循環流路を流れる湯水の流量が所定の流量よりも小さいことを条件に、運転モードを前記異物除去モードに切り替えることを特徴とする請求項１に記載の湯水循環回路。
【請求項３】
前記循環流路に接続され、熱エネルギーを発生する熱エネルギー発生手段および循環流路の間で熱交換を行って循環流路の湯水を加熱する加熱熱交換器と、
前記循環流路に加熱熱交換器と直列になるように接続され、循環流路の湯水を貯留する貯留タンクと、
前記貯留タンクをバイパスするバイパス流路に配置され、循環流路、および熱媒体を循環させて熱負荷に熱エネルギーを供給する熱負荷循環回路の間で熱交換を行う熱負荷熱交換器と、を備え、
前記異物除去モードにおいて、貯留タンクを含む流路を経由して水が通水可能な状態と、バイパス流路を経由して水が通水可能な状態との切替が可能であることを特徴とする請求項１又は２に記載の湯水循環回路。
【請求項４】
前記排出流路には、開状態で排出流路への湯水の通水を可能にする排出流路弁が設けられ、
前記循環流路には、開状態で貯留タンクを含む流路への湯水の通水を可能にする循環流路弁が設けられ、
前記バイパス流路には、開状態でバイパス流路への湯水の通水を可能にするバイパス流路弁が設けられ、
前記制御手段は、異物除去モードにおいて、排出流路弁およびバイパス流路弁が開かれ、循環流路弁が閉じられたバイパス流路利用状態と、
排出流路弁および循環流路弁が開かれ、バイパス流路弁が閉じられた循環流路利用状態と、
排出流路弁、循環流路弁、およびバイパス流路弁が開かれた全流路利用状態と、を順次切り替えることを特徴とする請求項３に記載の湯水循環回路。
【請求項５】
前記貯留タンクは、貯留された湯水の温度を検知する温度検知手段を備え、
貯留タンクに貯留された湯水が所定の温度以下であることを条件に、異物除去モードにおいて貯留タンクを含む流路が用いられることを特徴とする請求項３又は４に記載の湯水循環回路。
【請求項６】
異物除去モードにおける給水手段からの水の供給が、間欠的であることを特徴とする請求項１〜５のいずれかに記載の湯水循環回路。
【請求項７】
音又は光によって報知を行う報知手段を備え、
前記制御手段は、循環ポンプの出力に対して、循環流路を流れる湯水の流量が所定の流量よりも小さいことを条件に、報知手段によって異物除去モードの要請が報知されることを特徴とする請求項１〜６のいずれかに記載の湯水循環回路。
【請求項８】
音又は光によって報知を行う報知手段を備え、
前記制御手段は、異物除去モードの運転時間および／または異物除去モードの運転回数の積算値が所定値に達することを条件に、報知手段によって湯水循環回路のメンテナンスおよび／または交換の要請が報知されることを特徴とする請求項１〜７のいずれかに記載の湯水循環回路。
【請求項９】
請求項１〜８のいずれかに記載の湯水循環回路と、
熱エネルギーを発生する熱エネルギー発生手段と、
湯水循環回路の循環流路と前記熱エネルギー発生手段との間で熱交換を行う加熱熱交換器とを備えることを特徴とする湯水加熱システム。
【発明の詳細な説明】
【技術分野】
【０００１】
本発明は、フィルタに溜まった異物を除去することができる湯水循環回路、並びに、湯水加熱システムに関するものである。
【背景技術】
【０００２】
従来から、コージェネレーションシステムやヒートポンプシステム、給湯装置などの湯水を循環させて熱交換器で湯水を加熱する湯水加熱システムでは、所定の構成で配置され、湯水を循環させる湯水循環回路が用いられている。
一般に、熱交換器には熱伝導性に優れた銅管などが利用されるが、熱交換器は、長時間、繰り返して加熱されるため、熱交換器の内側に酸化銅の被膜が生じやすい。被膜を構成する酸化銅と熱交換器を構成する銅とでは膨張率が異なるため、熱交換器が加熱されると、ヒートショックにより酸化銅の被膜が熱交換器の内側から剥がれ落ちるおそれがある。
熱交換器の内側から剥がれ落ちた酸化銅は、湯水循環回路の流路内に異物として流れ込むが、湯水循環回路の流路内には、電磁弁や流量センサなどの精密機器が設けられている。そのため流路内に異物が流れ込むと、これらの異物によって精密機器が損傷し、精密機器に故障、誤作動が生じるおそれがある。またこれらの異物が湯水循環回路の流路内に堆積され、湯水の流れを阻害するおそれもある。
そこで従来の湯水加熱システムは、湯水循環回路を流れる湯水から異物を濾過するフィルタを湯水循環回路の流路内に設けることにより、これらの問題に対応していた。例えば特許文献１には、温水回路の水に混入した異物が温水回路中を循環するのを防止する集塵用フィルタを備えた床暖房装置が開示されている。
【特許文献１】特開２００２−１９５５８５号公報
【発明の開示】
【発明が解決しようとする課題】
【０００３】
しかし従来の湯水加熱システムは、使用期間が長期に及ぶと、フィルタに大量の異物が堆積してしまい、湯水循環回路の湯水の流れを阻害する要因になっていた。従来の湯水加熱システムでは、フィルタに異物が堆積すると、フィルタを装置本体から取り外して洗浄した後に、フィルタを元に戻すメンテナンス作業を行っていた。しかしこのメンテナンス作業は、ユーザが自ら行うには大変手間のかかるものであり、業者に依頼する必要があった。
【０００４】
そこで本発明は、フィルタを取り外すことなく、フィルタに溜まった異物を除去することができる湯水循環回路、並びに、湯水加熱システムを提供することを課題とする。
【課題を解決するための手段】
【０００５】
上記課題を解決するため、請求項１の発明は、内部を湯水が循環する循環流路に、湯水を一定の方向に循環させる循環ポンプと、湯水を加熱する給湯装置と、前記給湯装置の下流に配置されて湯水に含まれる異物を除去する異物除去部材と、給湯装置の上流であって異物除去手段の下流に配置されて上水を供給する給水手段と、を備え、前記異物除去部材は、筒状であって、周壁の内側から外側に透過させる湯水に含まれる異物を捕捉するフィルタ部材と、前記フィルタ部材で捕捉された異物を前記循環流路外に排出する排出流路と、軸方向の両端に接続口を有し、周壁に貫通孔が設けられた筒状であり、内部に前記フィルタ部材が収容され、一方の接続口に循環流路の上流側が接続され、他方の接続口に前記排出流路が接続され、周壁に設けられた貫通孔に循環流路の下流側が接続されるフィルタ収容体と、を備え、前記循環ポンプによって前記給湯装置側からフィルタ部材の内側に供給される湯水を、フィルタ部材の壁面を透過させて循環流路に循環させる通常循環モードと、前記循環ポンプが停止されて前記給水手段から水が供給される状態で、循環流路を通って前記給湯装置側からフィルタ部材の内側に供給される水の給水圧、および循環流路を通って前記フィルタ収容体の周壁に設けた貫通孔からフィルタ部材の周壁を透過してフィルタ部材の内側に供給される水の給水圧によって、フィルタ部材に捕捉された異物がフィルタ部材から取り外され、湯水とともに排出流路に排出する異物除去モードと、を切り替える制御手段を有することを特徴とした。
【０００６】
請求項１の湯水循環回路は、通常循環モードにおいて、湯水が、フィルタ部材の内側からフィルタ部材の周壁を透過して循環流路を循環する。そのため循環流路を循環する湯水に含まれる異物は、フィルタ部材の内側に付着する。異物は、フィルタ部材の内面のうち、フィルタ収容体の貫通孔に相当する部分から蓄積され、徐々に貫通孔を閉塞する面積を広げていく。そして時間の経過と共に異物による貫通孔の閉塞率が上昇し、循環流路の湯水の流れを阻害する。
請求項１の湯水循環回路の異物除去モードでは、フィルタ収容体の貫通孔を通ってフィルタ部材の外側からフィルタ部材の周壁を透過する湯水の給水圧が、主としてフィルタ収容体の貫通孔に相当する部分に付着した異物をフィルタ部材から取り外す。
しかし貫通孔の周辺部分に付着した異物については、貫通孔を通って供給される湯水の給水圧だけでは異物をフィルタ部材から取り外すことが困難であり、洗い残しが生じるおそれがある。
そこで請求項１の湯水循環回路は、給湯装置側からもフィルタ部材の内側に湯水を供給することによって、貫通孔を通って供給される湯水だけでは取り外すことができない異物をフィルタ部材から取り外し、フィルタ部材の内面全体を洗浄する。
そしてフィルタ部材から取り外された異物は、湯水と共に排出流路から循環流路外に排出される。
したがって請求項１の湯水循環回路は、フィルタ部材を取り外すことなく、フィルタ部材に付着した異物を除去することができる。また請求項１の湯水循環回路は、同時に二方向からフィルタ部材を洗浄するため、フィルタ部材の洗い残しが少ない。
【０００７】
請求項２の発明は、請求項１の発明において、前記循環流路を流れる湯水の流量を検知する流量検知手段を備え、
前記制御手段は、循環ポンプの出力に対して、循環流路を流れる湯水の流量が所定の流量よりも小さいことを条件に、運転モードを前記異物除去モードに切り替えることを特徴とした。
【０００８】
請求項２の湯水循環回路は、フィルタ部材に異物が堆積されることにより循環回路の湯水の流れが過度に阻害されるのを防止するため、的確なタイミングで異物除去モードによる運転を行い、一定水準以上の循環能力を維持することができる。
【０００９】
請求項３の発明は、請求項１又は２の発明において、前記循環流路に接続され、熱エネルギーを発生する熱エネルギー発生手段および循環流路の間で熱交換を行って循環流路の湯水を加熱する加熱熱交換器と、前記循環流路に加熱熱交換器と直列になるように接続され、循環流路の湯水を貯留する貯留タンクと、前記貯留タンクをバイパスするバイパス流路に配置され、循環流路、および熱媒体を循環させて熱負荷に熱エネルギーを供給する熱負荷循環回路の間で熱交換を行う熱負荷熱交換器と、を備え、前記異物除去モードにおいて、貯留タンクを含む流路を経由して水が通水可能な状態と、バイパス流路を経由して水が通水可能な状態との切替が可能であることを特徴とした。
【００１０】
これにより請求項３の湯水循環回路は、加熱熱交換器で加熱された湯水を、貯留タンクに貯留したり、熱負荷に利用したりすることができる。また請求項３の湯水循環回路は、貯留タンクを含む流路およびバイパス流路に水が流されるので、フィルタ部材を洗浄すると共に、循環流路の流路全体を洗浄することができる。
なお、「熱エネルギー発生手段」は、ヒートポンプ回路、ガスエンジン、給湯装置などの熱エネルギーを発生するものを意味し、「熱負荷」は、エアコンの室内機や床暖房機などの暖房端末や、風呂などを意味する。
【００１１】
また上記請求項３に記載の湯水循環回路は、前記排出流路には、開状態で排出流路への湯水の通水を可能にする排出流路弁が設けられ、前記循環流路には、開状態で貯留タンクを含む流路への湯水の通水を可能にする循環流路弁が設けられ、前記バイパス流路には、開状態でバイパス流路への湯水の通水を可能にするバイパス流路弁が設けられ、前記制御手段は、異物除去モードにおいて、排出流路弁およびバイパス流路弁が開かれ、循環流路弁が閉じられたバイパス流路利用状態と、排出流路弁および循環流路弁が開かれ、バイパス流路弁が閉じられた循環流路利用状態と、排出流路弁、循環流路弁、およびバイパス流路弁が開かれた全流路利用状態と、を順次切り替える構成にしてもよい（請求項４）。
【００１２】
請求項５の発明は、請求項３又は４の発明において、前記貯留タンクは、貯留された湯水の温度を検知する温度検知手段を備え、貯留タンクに貯留された湯水が所定の温度以下であることを条件に、異物除去モードにおいて貯留タンクを含む流路が用いられることを特徴とした。
【００１３】
これにより請求項５の湯水循環回路は、貯留タンクに貯留された温水を無駄にせず、エネルギー効率を向上させることができる。
【００１４】
請求項６の発明は、請求項１〜５のいずれかの発明において、異物除去モードにおける給水手段からの水の供給が、間欠的であることを特徴とした。
【００１５】
請求項６の湯水循環回路は、異物除去モードにおける給水手段からの水の供給を間欠的に行うことにより、フィルタ部材に付着した異物を、ゆすりの効果でフィルタ部材から外れやすくすることができる。
【００１６】
請求項７の発明は、請求項１〜６のいずれかの発明において、音又は光によって報知を行う報知手段を備え、前記制御手段は、循環ポンプの出力に対して、循環流路を流れる湯水の流量が所定の流量よりも小さいことを条件に、報知手段によって異物除去モードの要請が報知されることを特徴とした。
【００１７】
これにより請求項７の湯水循環回路は、フィルタ部材に異物が堆積されて、循環回路の湯水の流れが阻害されているのをユーザに対して報知することができ、的確なタイミングで異物除去モードによる運転を行うことができる。
【００１８】
請求項８の発明は、請求項１〜７のいずれかの発明において、音又は光によって報知を行う報知手段を備え、前記制御手段は、異物除去モードの運転時間および／または異物除去モードの運転回数の積算値が所定値に達することを条件に、報知手段によって湯水循環回路のメンテナンスおよび／または交換の要請が報知されることを特徴とした。
【００１９】
これにより請求項８の湯水循環回路は、的確なタイミングでメンテナンスや交換を行うことができる。
【００２０】
請求項９の湯水加熱システムは、請求項１〜８のいずれかに記載の湯水循環回路と、熱エネルギーを発生する熱エネルギー発生手段と、湯水循環回路の循環流路と前記熱エネルギー発生手段との間で熱交換を行う加熱熱交換器とを備えることを特徴とした。
【００２１】
これにより請求項９の湯水加熱システムは、フィルタ部材を取り外すことなく、フィルタ部材に溜まった異物を除去することができる。
【発明の効果】
【００２２】
本発明は、フィルタを取り外すことなく、フィルタに溜まった異物を除去することができる湯水循環回路、並び、湯水加熱システムを提供することができる。
【発明を実施するための最良の形態】
【００２３】
続いて、本発明の一実施形態であるコージェネレーションシステムについて図面を参照しながら詳細に説明する。図１は、本発明の一実施形態であるコージェネレーションシステムの作動原理図である。
【００２４】
図１において、１は本実施形態のコージェネレーションシステムである。コージェネレーションシステム１は、大別して発電部２と給湯部３（湯水循環回路）とにより構成されており、これらによりコージェネレーション系Ｓを構成している。
【００２５】
発電部２は、外部から供給されたガスにより作動するガスエンジン５（熱エネルギー発生手段）と、ガスエンジン５の動力により発電を行いコージェネレーション系Ｓの外部にある電気機器等の電力負荷４に電力を供給する発電装置６とを備えている。また、発電部２には、ガスエンジン５を冷却し、ガスエンジン５において発生した排熱を回収すべく、湯水が流れる冷却回路７が設けられている。
【００２６】
給湯部３は、湯水が流される循環回路１１（循環流路）と、外部の暖房端末３６と接続される暖房循環回路３８と、外部に設置された浴槽３７（風呂）の湯水を取り込んで循環させる風呂循環回路３９と、外部から湯水を供給する給水流路１３と、給湯部３において加熱された湯水を外部に供給する給湯流路１４とを備える。
なお暖房端末３６は、具体的にはエアコンの室内機であり、暖房機能を備えている。もちろんエアコンの室内機は一例に過ぎず、暖房端末３６は、ファンコンベクターや床暖房機であってもよい。また給湯部３に接続される暖房端末３６は複数であってもよい。
【００２７】
循環回路１１は、貯留タンク１２を含むタンク流路２１と、貯留タンク１２をバイパスする流路であって暖房熱交換器２６（熱負荷熱交換器）を含む暖房流路２２（第１バイパス流路）と、暖房熱交換器２６をバイパスする流路であって風呂熱交換器２７（熱負荷熱交換器）を含む風呂流路２３（第２バイパス流路）とを有する。
タンク流路２１は、排熱熱交換器８（加熱熱交換器）と貯留タンク１２とを結ぶ環状流路である。暖房流路２２は、タンク流路２１から分岐された流路であり、給湯部３に、排熱熱交換器８と暖房熱交換器２６とを結ぶ環状流路を形成するのに用いられる。また、風呂流路２３は、暖房流路２２から分岐された流路であり、給湯部３に排熱熱交換器８と風呂熱交換器２７とを結ぶ環状流路を形成するのに用いられる。
循環回路１１では、排熱熱交換器８に対して、貯留タンク１２、暖房熱交換器２６、および風呂熱交換器２７が並列になるように配管接続されている。
【００２８】
排熱熱交換器８、暖房熱交換器２６、および風呂熱交換器２７のそれぞれは、一次側流路と二次側流路を持つ。
排熱熱交換器８は、一次側流路に発電部２の冷却回路７の湯水が流され、二次側流路に循環回路１１の湯水が流される。これにより排熱熱交換器８は、発電部２の冷却回路７の湯水と、給湯部３の循環回路１１の湯水との間で熱交換を行い、発電部２の冷却回路７と給湯部３の循環回路１１とを熱的に連結する。
また暖房熱交換器２６は、一次側流路に循環回路１１の暖房流路２２の湯水が流され、二次側流路に暖房循環回路３８の湯水が流される。これにより暖房熱交換器２６は、循環回路１１の湯水と暖房循環回路３８の湯水との間で熱交換を行い、循環回路１１と暖房循環回路３８とを熱的に連結する。
さらに風呂熱交換器２７は、一次側流路に循環回路１１の風呂流路２３の湯水が流され、二次側流路に風呂循環回路３９の湯水が流される。これにより風呂熱交換器２７は、循環回路１１の湯水と風呂循環回路３９の湯水との間で熱交換を行い、循環回路１１と風呂循環回路３９とを熱的に連結する。
【００２９】
なお排熱熱交換器８、暖房熱交換器２６、および風呂熱交換器２７における一次側流路の液体の流れと二次側流路の液体の流れが向流になるように構成されており、熱伝達に有利な構成になっている。
【００３０】
上記のように冷却回路７、循環回路１１、暖房循環回路３８、および風呂循環回路３９のそれぞれは、熱的には繋がっているが、流路は完全に分離されている。そのため冷却回路７を流れる湯水と循環回路１１を流れる湯水とが混じり合ったり、循環回路１１を流れる湯水と浴槽３７の湯水とが混じり合ったりすることがない。
【００３１】
貯留タンク１２は、内部に温度成層を構成させて湯水を貯留させるものであり、貯留タンク１２の頂部および底部のそれぞれには、湯水の出入りが可能な頂部開口１２ａおよび底部開口１２ｂが設けられている。
【００３２】
タンク流路２１は、循環往路１６と循環復路１７とを備える。
循環往路１６は、排熱熱交換器８の二次側流路の出側（図において上側）に配され、貯留タンク１２の頂部開口１２ａに接続され、循環復路１７は、排熱熱交換器８の二次側流路の入側（図において下側）に配され、貯留タンク１２の底部開口１２ｂに接続される。なお図において、排熱熱交換器８の上部側が出水口であり、排熱熱交換器８の下部側が入水口である。
【００３３】
循環往路１６には、排熱熱交換器８側から順に、流量センサ３２（流量検知手段）、補助熱源機１０（給湯装置）、異物除去部材７０、分岐４１、電磁弁５２（循環流路弁）、分岐４２が設けられている。
流量センサ３２は、循環回路１１内を流れる湯水の流量を検知して、後述の制御装置５０に出力することができる。
補助熱源機１０は、ガスバーナ１０ａと、循環回路１１に接続される熱交換器１０ｂとを備えた従来公知の給湯装置と同様の構造を有するものであり、ガスバーナ１０ａの燃焼ガスにより循環回路１１内の湯水を加熱することができる。
【００３４】
異物除去部材７０は、図１に示すように循環往路１６の補助熱源機１０と電磁弁５２との間に配置され、循環回路１１内を流れる湯水から異物を除去する部材である。
図２に示すように異物除去部材７０は、湯水に含まれる異物を捕捉するフィルタ部材７１と、循環回路１１の循環往路１６に接続されてフィルタ部材７１が収容される本体部材７２（フィルタ収容体）と、フィルタ部材７１で捕捉された異物を外部に排出する排出流路７３とを備える。
【００３５】
フィルタ部材７１は、板状の金網を丸めて円筒状に形成したものである。
本体部材７２は、フィルタ部材７１が収容されるフィルタ収容部７６と、循環往路１６の電磁弁５２側が接続される下流接続部７７とを有する。
【００３６】
フィルタ収容部７６は、両端に接続口を有する円筒であり、図３に示すように、内壁と一定の距離を保って同心円筒軸上にフィルタ部材７１が収容される。フィルタ収容部７６の一方の接続口は、循環往路１６の補助熱源機１０側が接続される上流側接続口７８であり、他方の接続口は、後述の排出流路７３が接続される排出側接続口７９である。またフィルタ収容部７６の周壁には所定の大きさの貫通孔７５が設けられている。
下流接続部７７は、両端に開口を有する円筒であり、一方の開口がフィルタ収容部７６の貫通孔７５に一致するように取り付けられ、他方の開口が循環往路１６の電磁弁５２側を接続する下流側接続口８０となる。
【００３７】
図３（ａ），（ｂ）に示すようにフィルタ収容部７６の内部空間８１と下流接続部７７の内部空間８２とは、貫通孔７５を介して繋がっている。そしてフィルタ収容部７６にフィルタ部材７１が収容されると、貫通孔７５は、フィルタ部材７１によってフィルタ収容部７６の内側から閉塞され、フィルタ部材７１によって内部空間８１と内部空間８２とが分割される。
ここで、フィルタ部材７１は、金網で形成されているため、フィルタ収容部７６の内部空間８１と下流接続部７７の内部空間８２との間における、湯水の移動は自由に行うことができる。しかし、湯水に含まれる所定の大きさ以上の異物については、フィルタ部材７１を透過することができず、フィルタ部材７１によって捕捉される。
【００３８】
排出流路７３は、フィルタ部材７１によって捕捉された異物をコージェネレーションシステム１の外部に排出するための流路であり、図１に示すように一方の端部が本体部材７２の排出側接続口７９に接続され、他方の端部がコージェネレーションシステム１の外部に繋がっている。
また排出流路７３には、電磁弁７４（排出流路弁）が取り付けられている。
【００３９】
タンク流路２１の循環復路１７には、排熱熱交換器８側から順に、循環回路１１に湯水を循環させる循環ポンプ１９、分岐４３が設けられている。
循環ポンプ１９は、排熱熱交換器８側に向けて湯水を圧送し、循環回路１１内に湯水を循環させる従来公知の循環ポンプと同様の構造を有する。
【００４０】
タンク流路２１の循環往路１６と循環復路１７とは、暖房流路２２で繋がれており、暖房流路２２の一方の端部が循環往路１６の分岐４１に接続され、暖房流路２２の他方の端部が循環復路１７の分岐４３に接続されている。これにより暖房流路２２は、タンク流路２１と共に、排熱熱交換器８と暖房熱交換器２６とを結ぶ環状流路を形成することができる。
また暖房流路２２には、循環往路１６の分岐４１側から順に、分岐４４、暖房熱交換器２６、電磁弁５３（バイパス流路弁）、分岐４５、分岐４６が設けられている。
【００４１】
風呂熱交換器２７を含む風呂流路２３は、一方の端部が暖房流路２２の分岐４４に接続され、他方の端部が暖房流路の分岐４５に接続されている。これにより風呂流路２３は、タンク流路２１および暖房流路２２と共に、排熱熱交換器８と風呂熱交換器２７とを結ぶ環状流路を形成することができる。
また風呂流路２３には、風呂熱交換器２７と分岐４５との間に電磁弁５４が設けられている。
【００４２】
給湯部３は、入水部３１と出湯栓３０によって外部と接続されている。
入水部３１は、外部の上水源に接続されており、給水流路１３を介して循環回路１１に連結されている。給水流路１３は、一方の端部が暖房流路２２の分岐４６に接続されており、他方の端部が入水部３１に接続されている。また給水流路１３には分岐４７が設けられている。
出湯栓３０は、コージェネレーション系Ｓの外部において、図示しないシャワー、カラン等に接続されており、給湯流路１４を介して循環流路１１に連結されている。給湯流路１４は、一方の端部がタンク流路２１の循環往路１６に設けた分岐４２に接続されており、他方の端部が出湯栓３０に接続されている。また給湯流路１４には混合弁５８が設けられている。
【００４３】
また給水流路１３と給湯流路１４とは、バイパス流路１５を介して結ばれている。バイパス流路１５の一方の端部は、給水流路１３の分岐４７に接続されており、他方の端部は、給湯流路１４の混合弁５８に接続されている。
混合弁５８において、循環回路１１から給湯流路１４を介して供給される湯水と、外部からバイパス流路１５を介して導入される水とが、出湯設定温度に基づく所定の混合比に混合され、混合された湯水が出湯栓３０からコージェネレーション系Ｓの外部に排出される。
【００４４】
コージェネレーションシステム１は、コージェネレーション系Ｓの外部にコントローラ６０を備えている。コントローラ６０は、発電部２および給湯部３の動作を制御する制御装置５０に電気的に接続されたものである。
コントローラ６０は、コージェネレーションシステム１の動作等に関する設定を行う操作部６１や、操作部６１によって設定される設定値や、コージェネレーションシステム１の動作状況等を表示する表示部６２を備えている。
操作部６１は、コージェネレーションシステム１を運転可能な状態と運転できない状態に切り替える運転スイッチや、出湯栓３０における給湯温度、暖房端末３６の温度設定を行う温度設定スイッチ等から構成される。
【００４５】
制御装置５０は、コージェネレーション系Ｓの外部にある電力負荷４や暖房端末３６、浴槽３７（風呂）の使用状況に応じて発電部２や給湯部３の各構成の動作を制御し、電気エネルギーや熱エネルギーを発生させる。
【００４６】
次に本実施形態のコージェネレーションシステム１の動作モードについて説明する。
本実施形態のコージェネレーションシステム１は、温水貯留モード、直接暖房モード、風呂追い焚きモード、出湯モード、フィルタ洗浄モードの各モードで動作させることができる。なお特許請求の範囲に記載された、通常循環モードには、温水貯留モード、直接暖房モード、および風呂追い焚きモードが該当し、異物除去モードには、フィルタ洗浄モードが該当する。
以下順次説明する。
【００４７】
（温水貯留モード）
温水貯留モードは、発電部２を動作させて温水を生成し、これを貯留タンク１２に貯留するモードである。
図４は、本発明のコージェネレーションシステム１の作動原理図であり、温水貯留モードにおける弁の開閉状況と湯水の流れを示す。
給湯部３では、電磁弁５２のみが開かれ、電磁弁５３，５４，７４が閉じられ、タンク流路２１によって排熱熱交換器８と貯留タンク１２とを結ぶ環状流路が形成される。具体的な環状流路は、排熱熱交換器８から順に、流量センサ３２、補助熱源機１０、異物除去部材７０、電磁弁５２、貯留タンク１２、循環ポンプ１９を経由して排熱熱交換器８に戻る流路である。
そして循環ポンプ１９を起動させ、上記流路に湯水を循環させる。
【００４８】
温水貯留モードでは、排熱熱交換器８で高温が作られる。
そして排熱熱交換器８と貯留タンク１２とを結ぶ環状流路が開かれ、循環ポンプ１９によって当該流路の湯水が循環移動されるので、排熱熱交換器８で高温にされた湯水は、異物除去部材７０を通って、貯留タンク１２の頂部開口１２ａに供給され、高温の湯水が貯留タンク１２の上から層状に貯留される。また低温の湯水は、貯留タンク１２の底部開口１２ｂから押し出され、排熱熱交換器８に戻る。
この循環を繰り返し、しだいに貯留タンク１２内が高温の湯で満たされてゆく。
【００４９】
（直接暖房モード）
直接暖房モードは、発電部２を動作させて高温を作り、この熱を貯留することなく暖房端末３６に移動させて暖房するモードである。
図５は、本発明のコージェネレーションシステム１の作動原理図であり、直接暖房モードにおける弁の開閉状況と湯水の流れを示す。
給湯部３では、電磁弁５３のみが開かれ、電磁弁５２，５４，７４が閉じられ、タンク流路２１および暖房流路２２によって排熱熱交換器８と暖房熱交換器２６とを結ぶ環状流路が形成される。具体的な環状流路は、排熱熱交換器８から順に、流量センサ３２、補助熱源機１０、異物除去部材７０、暖房熱交換器２６、電磁弁５３、循環ポンプ１９を経由して排熱熱交換器８に戻る流路である。
そして循環ポンプ１９を起動させ、上記流路に湯水を循環させる。
また上記の温水貯留モードと同様に、ガスエンジン５の作動により発生する熱だけでは循環回路１１の湯水を所定の温度まで加熱できない場合には、補助熱源機１０を作動させる。
【００５０】
（風呂追い焚きモード）
風呂追い焚きモードは、発電部２を動作させて温水を生成し、温水を風呂の追い焚きに利用するモードである。
図６は、本発明のコージェネレーションシステム１の作動原理図であり、風呂追い焚きモードにおける弁の開閉状況と湯水の流れを示す。
給湯部３では、電磁弁５４のみが開かれ、電磁弁５２，５３，７４が閉じられ、タンク流路２１、暖房流路２２、および風呂流路２３によって排熱熱交換器８と風呂熱交換器２７とを結ぶ環状流路が形成される。具体的な環状流路は、排熱熱交換器８から順に、流量センサ３２、補助熱源機１０、異物除去部材７０、風呂熱交換器２７、電磁弁５４、循環ポンプ１９を経由して排熱熱交換器８に戻る流路である。
そして循環ポンプ１９を起動させ、上記流路に湯水を循環させる。
また上記の温水貯留モードおよび直接暖房モードと同様に、ガスエンジン５の作動により発生する熱だけでは循環回路１１の湯水を所定の温度まで加熱できない場合には、補助熱源機１０を作動させる。
【００５１】
（出湯モードについて）
出湯モードは、貯湯タンク内の湯を出湯させるモードである。
図７は、本発明のコージェネレーションシステム１の作動原理図であり、貯留タンク１２を利用した出湯モードにおける弁の開閉状況と湯水の流れを示す。
出湯モードにおいては、入水部３１と貯留タンク１２を経由し、出湯栓３０に至る流路だけを開き、他の流路を全て遮断する。そのため電磁弁５２，５３，５４，７４は全て閉じられている。
貯留タンク１２を利用した出湯モードでは、入水部３１からの水が貯留タンク１２の下部に導入され、貯留タンク１２の上部に溜まった高温の湯が押し出されて出湯栓３０に至る。また貯留タンク１２から排出された湯と、入水部３１からバイパス流路１５を経由して供給される水とが混合弁５８で混合されて出湯設定温度になるように温度調節がなされる。
【００５２】
貯留タンク１２内の湯水が比較的低温である場合であって、出湯栓３０が開けられた場合は、ユーザが所望する出湯設定温度の湯の供給ができない場合がある。このような場合、コージェネレーションシステム１では、給湯時に、制御装置５０によって補助熱源機１０と循環ポンプ１９が作動され、貯留タンク１２の湯を使用せずに補助熱源機１０だけで給湯する。
【００５３】
（フィルタ洗浄モード）
ここで本実施形態のコージェネレーションシステム１において、すべての熱交換器１０ｂ，８，２６，２７が熱伝導性に優れた銅で形成されている。そのためこれらの熱交換器１０ｂ，８，２６，２７は、長時間加熱されると内側に酸化による被膜が生じやすい。被膜を構成する酸化銅と熱交換器を構成する銅とでは膨張率が異なるため、熱交換器１０ｂ，８，２６，２７が加熱されると、ヒートショックにより酸化銅の被膜が剥がれ落ち、剥がれ落ちた酸化銅の被膜が異物として循環回路１１内に湯水と共に流れ込むおそれがある。とくに補助熱源機１０の熱交換器１０ｂは、ガスバーナ１０ａにより高温に加熱されるため異物が生成されやすい。
【００５４】
また上記したように、循環回路１１内には、電磁弁５２，５３，５４や流量センサ３２、循環ポンプ１９などの精密機器が数多く設けられており、循環回路１１内を流れる湯水にこれらの異物が含まれると、異物によって精密機器が損傷し、故障や誤作動の原因となるおそれがある。
【００５５】
そのため本実施形態のコージェネレーションシステムでは、図８に示すように、循環回路１１内に異物除去部材７０を設け、循環回路１１を流れる湯水を濾過して、湯水に含まれる異物を除去することとしている。
具体的には、図３（ａ）に示すように、異物を含んだ湯水が、異物除去部材７０の上流側接続口７８から導入されると、導入された湯水は、フィルタ収容部７６の内部空間８１から順に、フィルタ収容部７６の周壁に設けられた貫通孔７５、下流接続部７７の内部空間８２を経由して、下流側接続口８０から下流に流れる。ここでフィルタ収容部７６の貫通孔７５はフィルタ部材７１の周壁により閉塞されている。そのため本実施形態のコージェネレーションシステム１は、湯水がフィルタ部材７１の周壁を透過する際に、フィルタ部材７１によって湯水に含まれる異物を捕捉することができる。
【００５６】
フィルタ洗浄モードは、上記のようにしてフィルタ部材７１に蓄積された異物を、フィルタ部材７１から取り外して外部に排出するためのものである。
図３（ｂ）に示すように、循環回路１１を循環する湯水は、フィルタ部材７１に付着された異物を迂回するように流れるため、時間が経過すると、フィルタ部材７１のうち、貫通孔７５に相当する部分に蓄積される異物の量が増大し、徐々に貫通孔７５を閉塞する面積が広がっていく。
そしてコージェネレーションシステム１の使用が長期に及ぶと、図３（ｃ）に示すように、フィルタ部材７１に蓄積された異物の範囲は、貫通孔７５に相当する部分から更にその周辺部分にまで及び、異物による貫通孔７５の閉塞率が過度に上昇してしまう。そのため循環回路１１の湯水の流れが過度に阻害されてしまう。
【００５７】
そこで本実施形態のコージェネレーションシステム１は、循環回路１１を流れる湯水の流量を流量センサ３２で検知し、検知信号が制御装置５０に出力することで、循環回路１１内の湯水の流れを常に監視している。
検知信号を受けた制御装置５０では、循環ポンプ１９の出力に対して、検知された湯水の流量が適当なものか否かが判断される。そして循環ポンプ１９の出力に対して、循環回路１１を流れる湯水の流量が所定の流量よりも小さい場合には、フィルタ部材７１に異物が堆積して湯水の流れが妨げられているので、フィルタ部材７１の洗浄が必要であると判断される。フィルタ部材７１の洗浄が必要であると判断されると、コントローラ６０の表示部６２に、フィルタ部材７１の洗浄が必要である旨を表示して、フィルタ洗浄モードを要請する報知を行う。
【００５８】
その後コージェネレーションシステム１は、報知を受けたユーザによるコントローラ６０の操作を受けて、フィルタ洗浄モードによる運転を開始する。
なおコージェネレーションシステム１が、フィルタ洗浄モード以外の他の運転モードで運転されている場合には、フィルタ洗浄モード以外のモードが優先される。
【００５９】
まず給湯部３では、図８に示すように、暖房流路２２の電磁弁５３と排出流路７３の電磁弁７４が開かれ、電磁弁５２および電磁弁５４が閉じられる（第１バイパス流路利用状態）。これにより入水部３１から順に、循環ポンプ１９、排熱熱交換器８、流量センサ３２、補助熱源機１０を経由して異物除去部材７０の上流側接続口７８に至る第１洗浄流路と、入水部３１から順に、電磁弁５３、暖房熱交換器２６を経由して異物除去部材７０の下流側接続口８０に至る第２洗浄流路とが形成される。
【００６０】
そして入水部３１から給湯部３への水の供給が開始される。
入水部３１から給湯部３に供給された水は、分岐４６で分岐され、一部が第１洗浄流路に流れ込み、残りが第２洗浄流路に流れ込む。第１洗浄流路に流れ込んだ水は、第１洗浄流路を通って、矢印Ａに示すように、上流側接続口７８から異物除去部材７０内に流れ込む。また第２洗浄流路に流れ込んだ水は、第２洗浄流路を通って、矢印Ｂに示すように下流側接続口８０から異物除去部材７０内に流れ込む。即ち、フィルタ洗浄モードでは、フィルタを洗浄するための水が、Ａ，Ｂの二方向から、異物除去部材７０内に導入される。
【００６１】
さらに詳しく説明すると、図３（ｄ）に示すように、下流側接続口８０から異物除去部材７０内に導入される矢印Ｂの水は、下流接続部７７の内部空間８２から、フィルタ収容部７６の周壁に設けた貫通孔７５を通って、フィルタ収容部７６の内部空間８１に流れ込む。この水流によって異物除去部材７０内のフィルタ部材７１には、矢印Ｂの方向に給水圧が作用する。
このとき、貫通孔７５は、フィルタ収容部７６に収容されているフィルタ部材７１の周壁で閉塞されており、フィルタ部材７１の貫通孔７５を閉塞する部分を中心に異物が付着している。
したがって下流接続部７７の内部空間８２に導入された水は、フィルタ部材７１の周壁のうち、異物が集中して付着している部分を透過して、フィルタ収容部７６の内部空間８１に流れ込む。そのため矢印Ｂの水流によって、フィルタ部材７１の貫通孔７５を閉塞している部分に捕捉されている異物が集中的に取り外される。
【００６２】
これに対し上流側接続口７８から異物除去部材７０内に導入される水は、矢印Ａに示すようにフィルタ部材７１の内側に流れ込む（図３（ｅ））。この水流によって異物除去部材７０内のフィルタ部材７１には、矢印Ａの方向に給水圧が作用する。矢印Ａの水流は、フィルタ部材７１の内周面全体に流れるため、フィルタ部材７１の内周面全体をくまなく洗浄することができる。そのため矢印Ａの水流は、貫通孔７５の周辺に付着した異物のように前記矢印Ｂの水流によって取り外すことが困難な異物など、フィルタ部材７１の内周面全体に捕捉されている異物を取り外すことができる。
【００６３】
またフィルタ洗浄モードでは、排出流路７３の電磁弁７４が開かれているため、上流側接続口７８および下流側接続口８０から異物除去部材７０内に導入された水は、排出流路７３を通って外部に排出される。このとき、フィルタ部材７１から取り外された異物についても、水と共に排出流路７３から外部に排出される。
【００６４】
そして入水部３１からの水の供給の開始から所定時間が経過すると、電磁弁７４を閉止することによって入水部３１からの水の供給が停止される。
このとき、給湯部３では、暖房流路２２の電磁弁５３が閉じられ、風呂流路２３の電磁弁５４が開かれる。
そして入水部３１からの水の供給の停止から所定時間が経過すると、再び電磁弁７４を開放することによって、入水部３１から水の供給が開始され、図９に示す第２バイパス流路利用状態が形成される。即ち、電磁弁５４，７４が開かれ、他の弁が閉じられた状態になり、第１洗浄流路と、入水部３１から順に、電磁弁５４、風呂熱交換器２７を経由して異物除去部材７０の下流側接続口８０に至る第３洗浄流路とが形成される。
【００６５】
入水部３１から給湯部３に供給された水は、分岐４６で分岐され、一部が第１洗浄流路に流れ込み、残りが第３洗浄流路に流れ込む。第１洗浄流路に流れ込んだ水は、上記同様、上流側接続口７８から異物除去部材７０内に流れ込む水流Ａとなり、フィルタ部材７１を洗浄する。
また第３洗浄流路に流れ込んだ水は、第３洗浄流路を通って、矢印Ｂに示すように下流側接続口８０から異物除去部材７０内に流れ込む。そして下流側接続口８０から異物除去部材７０内に流れ込んだ矢印Ｂの水は、上記と同様に、貫通孔７５を閉塞するフィルタ部材７１の周壁部分を集中的に洗浄する。洗浄によりフィルタ部材７１から取り外された異物は、排出流路７３を通って水と共に外部に排出される。
【００６６】
そして水の供給が再開されて所定時間が経過すると、再び、電磁弁７４を閉止することによって入水部３１からの水の供給が停止される。
このとき、給湯部３では、風呂流路２３の電磁弁５４が閉じられ、タンク流路２１の電磁弁５２が開けられる。
そして二度目の水の供給の停止から所定時間が経過すると、再び電磁弁７４を開放することによって、入水部３１からの水の供給が開始され、図１０に示す循環流路利用状態が形成される。即ち、電磁弁５２，７４が開かれ、他の弁が閉じられた状態になり、第１洗浄流路と、入水部３１から順に、貯留タンク１２、電磁弁５２を経由して異物除去部材７０の下流側接続口８０に至る第４洗浄流路とが形成される。
【００６７】
入水部３１から給湯部３に供給される水は、分岐４３で分岐され、一部が第１洗浄流路に流れ込み、残りが第４洗浄流路に流れ込む。第１洗浄流路に流れ込んだ水は、上記同様、上流側接続口７８から異物除去部材７０内に流れ込む水流Ａとなり、フィルタ部材７１を洗浄する。
また第４洗浄流路に流れ込んだ水は、貯留タンク１２の下部に導入される。これにより貯留タンク１２の上部に溜まった湯水が押し出されて、下流側接続口８０から異物除去部材７０内に流れ込む水流Ｂとなる。水流Ｂは、上記同様、貫通孔７５を閉塞するフィルタ部材７１の周壁部分を集中的に洗浄する。水流Ａ，Ｂの洗浄によりフィルタ部材７１から取り外された異物は、排出流路７３を通って水と共に外部に排出される。
【００６８】
第１洗浄流路および第４洗浄流路への水の供給が開始されてから所定時間が経過すると電磁弁７４を閉止することによって、再度、水の供給が停止される。
このとき、給湯部３では、電磁弁７４を除くすべての弁が開かれる。これにより給湯部３には、第１洗浄流路、第２洗浄流路、第３洗浄流路、第４洗浄流路のすべてが形成される。
そして三度目の水の供給の停止から所定時間が経過すると、再び電磁弁７４を開放させることにより、入水部３１からの水の供給が開始され、図１１に示す全流路利用状態が形成される。
【００６９】
入水部３１から給湯部３に供給される水は、一部が第１洗浄流路に流れ込み、残りが第２〜第４洗浄流路のいずれかに流れ込む。第１洗浄流路に流れ込んだ水は、上記同様、上流側接続口７８から異物除去部材７０内に流れ込む水流Ａとなり、フィルタ部材７１を洗浄する。
また第２〜第４洗浄流路に流れ込んだ水は、その後合流し、下流側接続口８０から異物除去部材７０内に流れ込む水流Ｂとなる。水流Ｂは、上記同様、貫通孔７５を閉塞するフィルタ部材７１の周壁部分を集中的に洗浄する。水流Ａ，Ｂの洗浄によりフィルタ部材７１から取り外された異物は、排出流路７３を通って水と共に外部に排出される。
そして第１〜第４洗浄流路への水の供給が開始されてから所定時間が経過すると、電磁弁７４を閉止することによって水の供給が停止され、フィルタ洗浄モードが終了される。
【００７０】
上記のように、本実施形態のコージェネレーションシステム１は、フィルタ洗浄モードで運転することにより、フィルタ部材７１を異物除去部材７０から取り外すことなく、フィルタ部材７１を洗浄して、フィルタ部材７１に付着した異物を外部に排出することができる。
【００７１】
また本実施形態のコージェネレーションシステム１は、流量センサ３２で循環回路１１を流れる湯水の流量を検知することにより、フィルタ部材７１に異物が堆積して循環回路１１内の湯水の流れが阻害されているかを判断する。これにより的確なタイミングで、フィルタ洗浄モードによる運転を行い、フィルタ部材７１から異物を取り外して、循環回路１１の循環能力を一定水準以上に維持することができる。
【００７２】
本実施形態のコージェネレーションシステム１は、フィルタ部材７１に異物が堆積して湯水の流れが妨げられていると判断されると、フィルタ部材７１の洗浄が必要である旨がコントローラ６０の表示部６２に表示される。これにより本実施形態のコージェネレーションシステム１は、的確なタイミングでフィルタ洗浄モードによる運転を行うことができる。
【００７３】
本実施形態のコージェネレーションシステム１は、フィルタ洗浄モードにおいて通水が可能な流路を、第２洗浄流路、第３洗浄流路、第４洗浄流路と順次切り替えながら、フィルタ部材７１の洗浄を行うため、フィルタ部材７１の洗浄と共に、循環回路１１を構成する流路の大部分を同時に洗浄することができる。
【００７４】
また本実施形態のコージェネレーションシステム１は、フィルタ洗浄モードにおける暖房流路２２や風呂流路２３の湯水の流れが、他の動作モードとは逆になるように構成されている。これにより、フィルタ部材７１を乗り越えて暖房熱交換器２６や風呂熱交換器２７に溜まっている径の小さな異物を、異物除去手段７０まで押し戻し、排出流路７３から外部に排出させることができる。
【００７５】
上記のように本実施形態のコージェネレーションシステム１は、フィルタ洗浄モードにおける入水部３１からの水の供給が間欠的に行われるように構成されている。これにより本実施形態のコージェネレーションシステム１は、フィルタ部材７１の洗浄を間欠的に行い、ゆすりの効果により異物をフィルタ部材７１から外れやすくすることができる。
【００７６】
上記実施形態のコージェネレーションシステム１では、フィルタ部材７１の洗浄が、所定の間隔をあけて４度行われたが、本発明は、このような構成に限定されるわけではなく、フィルタ部材７１の洗浄の回数、間隔、洗浄時間などを任意に設定することができる。例えば循環回路１１を循環する湯水の流量の低下の程度により、洗浄モードにおける、フィルタ部材７１の洗浄の回数、間隔、洗浄時間などを変化させてもよい。これにより湯水の流量の低下の程度が小さい場合には、洗浄回数を減らしたり、洗浄時間を短くし、フィルタ部材７１の洗浄に用いる水の量を少なくすることができる。逆に湯水の流量の低下の程度が大きい場合には、洗浄回数を増やしたり、洗浄時間を長くすることにより、フィルタ部材７１に付着した異物を除去し、循環回路１１における湯水の流量を確実に回復させることができる。
【００７７】
上記実施形態のコージェネレーションシステム１は、コントローラ６０の表示部６２に、フィルタ部材７１の洗浄が必要である旨の表示を行うことで、ユーザに対して、フィルタ部材７１に異物が堆積していることを報知したが、本発明はこのような構成に限定されるわけではない。例えば発光手段や音声発生手段を、コントローラ６０に取り付けて、音又は光によってユーザに対する報知を行う構成であってもよい。
【００７８】
また上記実施形態では、報知を受けたユーザがコントローラ６０を操作することにより、フィルタ洗浄モードが開始されたが、本発明はこのような構成に限定されるわけではない。例えばコージェネレーションシステム１は、フィルタ部材７１に対して異物が過度に堆積されて、循環回路１１の湯水の流れが阻害されていると判断されると、自動的にフィルタ洗浄モードによる運転が行われる構成であってもよい。
【００７９】
上記実施形態のコージェネレーションシステム１は、フィルタ洗浄モードを要請する報知を行う構成であったが、コージェネレーションシステム１がユーザに対して行う報知は、このようなものに限定されない。例えばフィルタ洗浄モードの運転回数や運転時間の積算値を求め、これらの積算値が所定値に達することを条件に、コージェネレーションシステム１の点検やメンテナンス、フィルタ部材７１などの部品の交換を要請する報知をユーザに対して行ってもよい。
【００８０】
上記実施形態のコージェネレーションシステム１は、フィルタ洗浄モードにおいて、貯留タンク１２を含む第４洗浄流路を形成し、貯留タンク１２に貯留された湯水をフィルタ部材７１の洗浄に用いる構成であったが、本発明は、このような構成に限定されるわけではない。例えば、貯留タンク１２に、タンク内の湯水の温度を検知する温度センサを取り付け、貯留タンク１２に貯留された湯水が所定の温度以下である場合にのみ、第４洗浄流路を用いることにしてもよい。
これにより貯留タンク１２に貯留された高温の温水が、フィルタ部材７１の洗浄に用いられるのを防止することができ、コージェネレーションシステム１のエネルギー効率を向上させることができる。
【００８１】
上記実施形態において、フィルタ部材７１は、金網を用いて形成されたが、本発明はこのような構成に限定されるわけではない。フィルタ部材７１は、所定の大きさの異物を捕捉でき、湯水を透過可能とさせるものであればよく、例えば、パンチングメタルなどを用いてフィルタ部材７１を形成してもよい。
【００８２】
上記実施形態では、フィルタ部材７１に異物が堆積してフィルタ部材７１の洗浄が必要な場合、コントローラ６０の表示部６２にその旨を表示して、ユーザに対して報知する構成であったが、本発明はこのような構成に限定されるわけではない。例えば、コントローラ６０が、ブザーや発光部材を備え、音声や光によりフィルタ部材７１の洗浄が必要である旨をユーザに対して報知できる構成にしてもよい。
【００８３】
上記実施形態において、フィルタ部材７１に付着した異物による貫通孔７５の閉塞の程度は、流量センサ３２により循環回路１１を循環する湯水の流量を検知することにより判断されたが、本発明はこのような構成に限定されるわけではない。例えば、循環ポンプ１９の回転数を検知することにより、フィルタ部材７１に付着した異物による貫通孔７５の閉塞の程度を判断することもできる。この場合、所定の流量で湯水を循環させたときの循環ポンプ１９の回転数が所定の回転数を上回ることを条件に、フィルタ部材７１に異物が堆積して循環回路１１の湯水の流れが阻害されていると判断される。
【００８４】
上記では、コージェネレーションシステム１における実施形態について説明したが、本発明が適用されるのは、コージェネレーションシステムに限定されるわけではない。例えば、循環回路１１に公知のヒートポンプ回路が接続されたヒートポンプシステムや、給湯装置など、熱交換器で加熱された湯水を循環させる循環回路を備えたものに適用することができる。
【図面の簡単な説明】
【００８５】
【図１】本発明の一実施形態であるコージェネレーションシステムの作動原理図である。
【図２】異物除去部材を示す分解斜視図である。
【図３】（ａ）は、フィルタ部材の内側に異物が付着する初期段階を示す異物除去部材の断面図であり、（ｂ）は、（ａ）の段階から異物の付着状態が進行した段階を示す異物除去部材の断面図であり、（ｃ）は、（ｂ）の段階から異物の付着状態がさらに進行した段階を示す異物除去部材の断面図であり、（ｄ）は、矢印Ｂの水流によって、フィルタ部材から異物が取り外される仕組みを示す異物除去部材の断面図であり、（ｅ）は、矢印Ａ，Ｂの水流によって、フィルタ部材から異物が取り外される仕組みを示す異物除去部材の断面図である。
【図４】本発明のコージェネレーションシステムの作動原理図であり、温水貯留モードにおける弁の開閉状況と湯水の流れを示す。
【図５】本発明のコージェネレーションシステムの作動原理図であり、直接暖房モードにおける弁の開閉状況と湯水の流れを示す。
【図６】本発明のコージェネレーションシステムの作動原理図であり、風呂追い焚きモードにおける弁の開閉状況と湯水の流れを示す。
【図７】本発明のコージェネレーションシステムの作動原理図であり、出湯モードにおける弁の開閉状況と湯水の流れを示す。
【図８】本発明のコージェネレーションシステムの作動原理図であり、フィルタ洗浄モードにおいて、第１洗浄流路と第２洗浄流路が用いられる場合の弁の開閉状況と湯水の流れを示す。
【図９】本発明のコージェネレーションシステムの作動原理図であり、フィルタ洗浄モードにおいて、第１洗浄流路と第３洗浄流路が用いられる場合の弁の開閉状況と湯水の流れを示す。
【図１０】本発明のコージェネレーションシステムの作動原理図であり、フィルタ洗浄モードにおいて、第１洗浄流路と第４洗浄流路が用いられる場合の弁の開閉状況と湯水の流れを示す。
【図１１】本発明のコージェネレーションシステムの作動原理図であり、フィルタ洗浄モードにおいて、第１〜第４洗浄流路が用いられる場合の弁の開閉状況と湯水の流れを示す。
【符号の説明】
【００８６】
１    コージェネレーションシステム
３    給湯部（湯水循環回路）
５    ガスエンジン（熱エネルギー発生手段）
８    排熱熱交換器（加熱熱交換器）
１０  補助熱源機（給湯装置）
１１  循環回路（循環流路）
１２  貯留タンク
１９  循環ポンプ
２２  暖房流路（バイパス流路）
２６  暖房熱交換器（熱負荷熱交換器）
３１  入水部（給水手段）
３２  流量センサ（流量検知手段）
３６  暖房端末（熱負荷）
５０  制御装置（制御手段）
５２  電磁弁（循環流路弁）
５３  電磁弁（バイパス流路弁）
７０  異物除去部材
７１  フィルタ部材
７２  本体部材（フィルタ収容体）
７３  排出流路
７４  電磁弁（排出流路弁）
７５  貫通孔
【図１】
0005120615.tif 000002
【図２】
0005120615.tif 000003
【図３】
0005120615.tif 000004
【図４】
0005120615.tif 000005
【図５】
0005120615.tif 000006
【図６】
0005120615.tif 000007
【図７】
0005120615.tif 000008
【図８】
0005120615.tif 000009
【図９】
0005120615.tif 000010
【図１０】
0005120615.tif 000011
【図１１】
0005120615.tif 000012